(57)【要約】【課題】  本発明は、水漏れの恐れが無く、簡便に断熱構造を追加できる、折板屋根の断熱構造及び折板屋根用発泡樹脂断熱ボードの施工方法を提供することを目的とする。【解決手段】  折板屋根２と、折板屋根の凹部に埋設接着され、折板屋根の凸部と表面を一にした、断面が逆台形の発泡樹脂断熱ボード支持パッキン８と、折板屋根の凸部及び発泡樹脂断熱ボード支持パッキンの表面に接着剤により接着され、表面をネット状のガラス繊維１２により被覆された発泡樹脂断熱ボード１０と、上記発泡樹脂断熱ボード上の全面に渡って被覆された防水シート１１とを有する折板屋根の断熱構造及びその施工方法である。【選択図】        図３
2006132214.tif 000002
【特許請求の範囲】
【請求項１】
折板屋根と、
折板屋根の凹部に埋設接着され、折板屋根の凸部上面と表面を一にした、断面が逆台形の発泡樹脂断熱ボード支持パッキンと、
折板屋根の凸部上面及び発泡樹脂断熱ボード支持パッキンの表面に接着剤により接着され、少なくとも表面をネット状又は布状の樹脂又はガラス繊維により被覆された発泡樹脂断熱ボードと、
上記発泡樹脂断熱ボード上の全面に渡って被覆された防水シートと、を有する折板屋根の断熱構造。
【請求項２】
施工する折板屋根の凹部の形状に適合し、折板屋根の凸部上面と表面を一にするために、断面が矩形の発泡樹脂断熱ボード支持パッキンを、断面が逆台形となるようにあらかじめ面取加工する工程と、
上記のように面取加工された発泡樹脂断熱ボード支持パッキンを折板屋根の凹部に沿って埋設するとともに、あらかじめ面取加工された面を折板屋根の凹部の少なくとも２面と接着剤により接着する工程と、
折板屋根の凸部上面及び発泡樹脂断熱ボード支持パッキンの表面に接着剤を塗布した後、少なくとも表面をネット状又は布状の樹脂又はガラス繊維により被覆された発泡樹脂断熱ボードを載置し、接着する工程と、
上記発泡樹脂断熱ボードの全面に防水処理を施す工程と、を有する折板屋根用発泡樹脂断熱ボードの施工方法。
【請求項３】
防水処理は、防水シートの被覆によりなされる、請求項２記載の折板屋根用発泡樹脂断熱ボードの施工方法。  
【請求項４】
発泡樹脂断熱ボード及び発泡樹脂断熱ボード支持パッキンは、発泡スチロールからなる、請求項２又は３記載の折板屋根用発泡樹脂断熱ボードの施工方法。
【発明の詳細な説明】
【技術分野】
【０００１】
本発明は、折板屋根の断熱構造及び折板屋根用発泡樹脂断熱ボードの施工方法に関する。
【背景技術】
【０００２】
従来、図１のような鋼鉄製折板屋根２の断熱には、折板屋根の裏面に断熱材を吹き付けるか断熱ウールを巻き込む内断熱の方法が主として採用されてきた。このような内断熱の方法は、屋根に穴を開けないため水漏れの恐れは無いものの、内断熱のため屋根裏に熱が篭る等の欠点があった。
【０００３】
一方屋根の外断熱工法として、図２に示すように、Ｈ形鋼などによる鉄骨の屋根梁１に折板屋根２を取り付け、折板屋根２上に断熱材３を敷き込み、断熱材３の上に防水シート４を施工するものが知られている。防水シート４の取付は、防水シート４を接着剤にて断熱材３の上面に貼り付けている。また、断熱材３は、ビス５にて折板屋根２に取り付けられている。
なおこの工法では、屋根梁１への折板屋根２の取付は、折板屋根２を建設現場で屋根梁１に溶接するというようにして行われている。
【０００４】
さらに、特開２０００−１２９８１９号公報には、複数の台形山形部が所定間隔をおいて形成されたデッキプレート材からなるデッキ部と、該デッキ部の裏面側全体に貼着する不燃性の断熱材と、前記デッキ部の台形山形部の頂部に載置固定する断熱プレート部と、該断熱プレート部上を被覆する防水シート部とからなる耐火外囲体としたことにより、火災時において、室内側の火災による熱が下地部を通して防水シートに伝えにくくし、防水シート及びそのベース材に対しては、発火温度に達することなく発火を防止する技術が開示されており、また特開２０００−２５７２０１号公報には、上記従来技術の改良として、屋根梁へのデッキプレートの取付を容易に行え、しかも、建物解体時等に屋根梁とデッキプレートとを容易に分離できて、それらの再使用を図れ、また、建物の解体において、断熱材と防水シートとをきれいに分離でき、断熱材の再使用を図れる屋根の構造が開示されている。
【特許文献１】特開昭５５−４５９７１号公報
【特許文献２】特開２０００−１２９８１９号公報
【特許文献３】特開２０００−２５７２０１号公報
【発明の開示】
【発明が解決しようとする課題】
【０００５】
上述した従来技術は、折板屋根形成と一体で断熱構造を同時に得るものであって、既存の鋼鉄製折板屋根について、断熱構造の追加を目的とするものではない。
したがって、本発明は、水漏れの恐れが無く、簡便に断熱構造を追加できる、折板屋根の断熱構造及び折板屋根用発泡樹脂断熱ボードの施工方法を提供することを目的とする。
【課題を解決するための手段】
【０００６】
本発明は、上記の課題を解決するために、少なくとも表面をネット状又は布状の樹脂又はガラス繊維により被覆された発泡樹脂断熱ボードを採用し、かつこれを折板屋根の凸部とともに支持するため、断面が逆台形の発泡樹脂断熱ボード支持パッキンを折板屋根の凹部に埋設接着することを要旨とするものである。
課題を解決するための手段は、次のとおりである。
【０００７】
折板屋根と、
折板屋根の凹部に埋設接着され、折板屋根の凸部上面と表面を一にした、断面が逆台形の発泡樹脂断熱ボード支持パッキンと、
折板屋根の凸部上面及び発泡樹脂断熱ボード支持パッキンの表面に接着剤により接着され、少なくとも表面をネット状又は布状の樹脂又はガラス繊維により被覆された発泡樹脂断熱ボードと、
上記発泡樹脂断熱ボード上の全面に渡って被覆された防水シートと、を有する折板屋根の断熱構造である。
【０００８】
また、施工する折板屋根の凹部の形状に適合し、折板屋根の凸部上面と表面を一にするために、断面が矩形の発泡樹脂断熱ボード支持パッキンを、断面が逆台形となるようにあらかじめ面取加工する工程と、
上記のように面取加工された発泡樹脂断熱ボード支持パッキンを折板屋根の凹部に沿って埋設するとともに、あらかじめ面取加工された面を折板屋根の凹部の少なくとも２面と接着剤により接着する工程と、
折板屋根の凸部上面及び発泡樹脂断熱ボード支持パッキンの表面に接着剤を塗布した後、少なくとも表面をネット状又は布状の樹脂又はガラス繊維により被覆された発泡樹脂断熱ボードを載置し、接着する工程と、
上記発泡樹脂断熱ボードの全面に防水処理を施す工程と、を有する折板屋根用発泡樹脂断熱ボードの施工方法である。
【０００９】
さらに防水処理は、防水シートの被覆によりなされる、折板屋根用発泡樹脂断熱ボードの施工方法である。  
【００１０】
さらに発泡樹脂断熱ボード及び発泡樹脂断熱ボード支持パッキンは、発泡スチロールからなる、折板屋根用発泡樹脂断熱ボードの施工方法である。
【発明の効果】
【００１１】
本発明によれば、
１  外断熱のため断熱効果が優れており、
２  断熱材の施工が建物の外部から簡単にでき、
３  施工後の屋根は平坦になり、かつ防水シートがあるため雨水が鋼鉄製の折板屋根の防錆に効果的であるという、
効果に加えて次のような効果がある。
【００１２】
４  発泡樹脂断熱ボードがネット状又は布状の樹脂又はガラス繊維により補強されているため、従来１００ｍｍ程度必要であった発泡樹脂断熱ボードの厚みを３０ｍｍ程度と極力薄くできる。
５  支持補強用のパッキンがあるため、断熱及び発泡樹脂断熱ボードの折板屋根の凹部での補強に寄与するばかりでなく、発泡樹脂断熱ボードの継ぎ目が折板屋根の凹部にきても、支持パッキン上で確実に継ぎ合わせることができる。
６  樹脂又はガラス繊維により補強された発泡樹脂断熱ボードが、折板屋根の凸部及び折板屋根の凹部の少なくとも２面に接着された支持パッキンに対して強固に接着されているため、発泡樹脂断熱ボードの折板屋根への固着のためのビス穴が不要となるか、必要最低限のビス穴ですみ、ビス穴に起因する雨漏りを皆無とするか、極力減らすことが可能となる。
【発明を実施するための最良の形態】
【００１３】
本発明の実施の形態について図面を参照して詳細に説明する。
図３は、本発明に係る折板屋根の断熱構造の断面図を示す。既存の鋼鉄製折板屋根の凹部６には、あらかじめ断面矩形の棒状の発泡スチロールから、施工する鋼鉄製折板屋根の凹部の形状に合わせて断面逆台形となるように面取りされた断熱ボード支持パッキン８が、折板屋根の凸部上面と表面を一にするように埋設され、折板屋根の凹部と接触する面と断熱ボード支持パッキンの面取り部９の間は、接着剤による接着部１４により、強固に接着されている。
【００１４】
図３の折板屋根の断熱構造では、あらかじめ面取加工された面９を折板屋根の凹部の２つの面と接着剤により接着しているが、面取を工夫することにより折板屋根の凹部の底面も含めた凹部の３面と接着剤により接着することも可能である。この場合にはさらに強固に接着されることになる。
なお面取りに際しては、断熱ボード支持パッキンの上面と折板屋根の凸部上面とが、表面を一にするように面取りを行うことが肝要である。
【００１５】
次に折板屋根の凸部上面及び断熱ボード支持パッキンの上面に接着剤を塗布した後、表面をネット状のガラス繊維により被覆された発泡樹脂断熱ボードを載置し、接着する。
また断熱ボードは、継ぎ目１３において接着剤により相互に接着される。なお継ぎ目が凸部上にこない場合でも、１３’のように凹部に断熱ボード支持パッキン８があるため、継ぎ目に段差ができることはない。
最後に発泡樹脂断熱ボードの全面に防水処理を施す。防水処理は、防水塗料を塗布してもよいが、防水シートの被覆が最も確実である。
【００１６】
発泡樹脂断熱ボード１０と折板屋根との接着は、接着剤による上述の接着で十分であるが、さらに確実に接着したいのであれば、全面に防水処理を施す前に、発泡樹脂断熱ボード側から固定用のビスを通し、折板屋根の凸部にビス留めすることも可能である。
この場合は、ビス穴に起因する雨漏りを皆無とすることはできないが、ビス留めの箇所を必要最小限とすることにより、ビス穴に起因する雨漏りを極力減らすことができる。
【００１７】
図４は、表面をネット状のガラス繊維１２により被覆された発泡樹脂断熱ボード１０を示す。ネット状のガラス繊維は、発泡スチロールからなる発泡樹脂断熱ボードの表面に接着されている。発泡樹脂断熱ボード１０の実用的な大きさは、縦１ｍ×横２ｍで厚みが２５〜３０ｍｍである。なお厚みが３０ｍｍ以下程度と薄くできたのは、発泡樹脂断熱ボードがネット状のガラス繊維により被覆補強されているためである。
ネット状のガラス繊維を、発泡樹脂断熱ボードの表面のみならず断熱ボードの周囲全面に被覆すれば、発泡樹脂断熱ボードの補強はさらに強化される。
【００１８】
以上、好ましい折板屋根の断熱構造及び折板屋根用発泡樹脂断熱ボードの施工方法について説明したが、本発明はこれに限定されるものではなく、本発明の要旨を逸脱しない範囲内において適宜の変更が可能なものである。
例えば発泡樹脂断熱ボード及び支持パッキンの素材として発泡スチロールを例示したが、軽量で断熱性があり板状に加工できるものであれば、ウレタンフォーム等の他の発泡樹脂材でもよい。また一層からなる発泡樹脂断熱ボードを例示したが、発泡樹脂断熱ボードを多層構造とし、最下層あるいは中間層に耐火性のボードを採用してもよい。
さらにネット状のガラス繊維を例示したが、布状のものであってもよく、またガラス繊維に代えてネット状又は布状の樹脂を採用することもできる。
【図面の簡単な説明】
【００１９】
【図１】既存の鋼鉄製折板屋根
【図２】従来の鋼鉄製折板屋根の断熱構造を示す模式図
【図３】本発明の鋼鉄製折板屋根の断熱構造を示す模式図
【図４】表面をネット状のガラス繊維により被覆された発泡樹脂断熱ボードを示す模式図
【符号の説明】
【００２０】
１  鉄骨の屋根梁
２  折板屋根
３  断熱材
４  防水シート
５  ビス
６  折板屋根の凹部
７  折板屋根の凸部
８  発泡樹脂断熱ボード支持パッキン
９  面取り部
１０  発泡樹脂断熱ボード
１１  防水シート
１２  ネット状のガラス繊維
１３  発泡樹脂断熱ボードの継ぎ目
１３’発泡樹脂断熱ボードの継ぎ目（支持パッキン上）
１４  接着剤
【図１】
2006132214.tif 000003
【図２】
2006132214.tif 000004
【図３】
2006132214.tif 000005
【図４】
2006132214.tif 000006